(57)【特許請求の範囲】
【請求項１】
少なくとも１つの香箱用ゼンマイ（２）を含む時計の香箱アセンブリ（１）であって、
前記ゼンマイ（２）は、香箱ドラム（３）と香箱のコア（４）が備える受承表面（５）との間に、前記ゼンマイ（２）の第１の端部（２１）が前記香箱ドラム（３）上、第２の端部（２２）が前記受承表面（５）上にあるように設置され、前記香箱のコア（４）は前記ドラム（３）と軸線（Ｄ）の周りで同軸である、時計の香箱アセンブリ（１）において、
前記ゼンマイ（２）は、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０Ｇｐａのヤング率及び８０〜１００Ｇｐａの剪断弾性率を有する、多相のコバルト−ニッケル−クロムベースの合金製であり、９〜２１の幅厚比を有すること、並びに
前記軸線（Ｄ）に対する鋼又はステンレス鋼製の前記コア（４）の最大半径は、前記ゼンマイ（２）の最大厚さの９倍未満であること
を特徴とし、並びに
前記香箱アセンブリ（１）は、前記ゼンマイ（２）又は前記ドラム（３）上に、前記ドラム（３）と前記ゼンマイ（２）との間の長手方向のクリアランスを前記枢軸（Ｄ）の方向に制限する手段（６）を含むことを更に特徴とする、時計の香箱アセンブリ（１）。
【請求項２】
前記ドラム（３）と前記ゼンマイ（２）との間の前記長手方向のクリアランスを制限する前記手段（６）は、前記ゼンマイ（２）の縁部（２７、２８）のうちの少なくとも一方にある少なくとも１つの突起（２４）、又は前記ドラム（３）が最大内径上に備える周縁凹部（３６）であって、前記ゼンマイ（２）を周縁において周縁において保持及び支持するための２つの傾斜した肩部（３３、３４）の間に設けられる、周縁凹部（３６）のいずれかによって形成されることを特徴とする、請求項１に記載の香箱アセンブリ（１）。
【請求項３】
前記少なくとも１つの突起（２４）は、前記ドラム（３）の内面（３１）及び／又は前記ドラム（３）と共に前記ゼンマイ（２）を格納するためのチャンバ（３２）の範囲を定める蓋（７）の内面（７１）と当接して協働するよう配設されることを特徴とする、請求項２に記載の香箱アセンブリ（１）。
【請求項４】
前記突起（２４）は、前記ゼンマイ（２）のコイルを超える高さの部分を少なくとも１つ備えることを特徴とする、請求項３に記載の香箱アセンブリ（１）。
【請求項５】
前記突起（２４）は、追加された少なくとも１つのフランジ（２６）を含み、
前記フランジ（２６）の高さは前記ゼンマイ（２）のの高さよりも局所的に高く、
前記フランジ（２６）は前記ゼンマイに固定される
ことを特徴とする、請求項３又は４に記載の香箱アセンブリ（１）。
【請求項６】
前記ドラム（３）と前記ゼンマイ（２）との間の前記長手方向のクリアランスを制限する前記手段（６）は、前記ドラム（３）が最大内径上に備える前記周縁凹部（３６）によって形成され、
前記周縁凹部（３６）は、前記ゼンマイ（２）を周縁において保持及び支持するための２つの前記肩部（３３、３４）の間に設けられる
ことを特徴とする、請求項２に記載の香箱アセンブリ（１）。
【請求項７】
前記周縁凹部（３６）は円筒形であり、前記ゼンマイ（２）と同一の高さを有し、
前記ゼンマイ（２）は、平らでありかつ前記軸線（Ｄ）に垂直な前記肩部（３３、３４）の間にセンタリングされる
ことを特徴とする、請求項６に記載の香箱アセンブリ（１）。
【請求項８】
前記周縁凹部（３６）の高さは前記ゼンマイ（２）の高さよりも低く、前記ゼンマイ（２）は傾斜した前記肩部（３３、３４）の間で支持されるようセンタリングされ、
前記肩部（３３、３４）は互いに対向する傾斜した面を含み、これにより前記ゼンマイ（２）が備える前記縁部表面（２７、２８）のためのＶ字型の支持を画定する
ことを特徴とする、請求項６に記載の香箱アセンブリ（１）。
【請求項９】
前記ゼンマイ（２）は、前記軸線（Ｄ）に対する回転の表面である前記受承表面（５）の周りで、フックを用いることなく弾性的に保持されることを特徴とする、請求項１〜８のいずれか１項に記載の香箱アセンブリ（１）。
【請求項１０】
前記第１の回転の表面（５）は、肩部（９１、９２）の間に設けられる凹部（８）によって形成され、
前記肩部（９１、９２）は、前記軸線（Ｄ）に対する前記コア（４）の最大半径を画定する
ことを特徴とする、請求項９に記載の香箱アセンブリ（１）。
【請求項１１】
前記凹部（８）の高さは前記ゼンマイ（２）の高さよりも低く、前記ゼンマイ（２）は前記肩部（９１、９２）の間で斜めに支持され、
前記肩部（９１、９２）は、互いに対向する傾斜した面を含み、前記ゼンマイ（２）の前記縁部表面（２７、２８）のためのＶ字型の支持を画定する
ことを特徴とする、請求項１０に記載の香箱アセンブリ（１）。
【請求項１２】
前記ゼンマイ（２）は、摩擦によって前記コア（４）に固定されることを特徴とする、請求項１〜１１のいずれか１項に記載の香箱アセンブリ（１）。
【請求項１３】
前記ゼンマイ（２）は、前記コア（４）と共に、溶接若しくはハンダ付けされた単一部品のゼンマイ−コアサブアセンブリを形成することを特徴とする、請求項１〜１１のいずれか１項に記載の香箱アセンブリ（１）。
【請求項１４】
請求項１〜１３のいずれか１項に記載のエネルギ貯蔵用の少なくとも１つの香箱アセンブリ（１）を含む時計ムーブメント（１００）であって、
前記香箱アセンブリ（１）は、コア（４）と一体として回転するよう設置される角穴車（１２）又はドラム（３）と一体として回転するよう設置されるドラム歯部（１３）のいずれかによって形成される１つの入力、及びこれら各場合のそれぞれに対して、前記ドラム（３）と一体として回転するよう設置される前記ドラム歯部（１３）又は前記コア（４）と一体として回転するよう設置される前記角穴車（１２）よって形成される１つの出力を有する、時計ムーブメント（１００）。
【請求項１５】
請求項１４に記載の少なくとも１つの時計ムーブメント（１００）及び／又は請求項１〜１３のいずれか１項に記載の少なくとも１つの香箱アセンブリ（１）を含む時計（１００）であって、
前記香箱アセンブリ（１）は、コア（４）と一体として回転するよう設置される角穴車（１２）又はドラム（３）と一体として回転するよう設置されるドラム歯部（１３）のいずれかによって形成される１つの入力、及びこれら各場合のそれぞれに対して、前記ドラム（３）と一体として回転するよう設置される前記ドラム歯部（１３）又は前記コア（４）と一体として回転するよう設置される前記角穴車（１２）によって形成される１つの出力を有する、時計（１０００）。
【発明の詳細な説明】
【技術分野】
【０００１】
本発明は、少なくとも１つの香箱用ゼンマイを含む時計の香箱アセンブリに関し、上記ゼンマイは香箱ドラムと香箱のコアが備える受承表面との間に、その第１の端部が香箱ドラム上、第２の端部が受承表面上にあるように設置され、コアは上記ドラムと枢軸の周りで同軸である。
【０００２】
本発明はまた、少なくとも１つのこのような香箱アセンブリを含む時計ムーブメントにも関する。
【０００３】
本発明はまた、このタイプの少なくとも１つの時計ムーブメント及び／又はこのタイプの少なくとも１つの香箱アセンブリを含む時計にも関する。
【０００４】
本発明は、時計学の分野に関し、より具体的にはムーブメント、時打ち動作又はその他の時計の機能に動力供給するためのエネルギ貯蔵香箱の分野に関する。
【背景技術】
【０００５】
ゼンマイの回転数を増やすことによりパワーリザーブを増大させるための１つの解決法は、香箱真及び関連するコアの直径を低減することによりドラム内部のゼンマイのために利用可能な空間を増大させることからなる。
【０００６】
ゼンマイの厚さに対するコア半径の比は通常１０〜２０であり、本発明はこの比を１０より小さく、好ましくは５〜１０の範囲内に低減することを提案する。
【０００７】
コア直径が小さすぎると破損のリスクがあるため、小さすぎる直径に寸法決めしてはならない。
【０００８】
従来の香箱の構造において、角穴車は四角形部分を介して香箱真又はコアに軸方向に設置され、角穴車は通常軸方向のネジによって固定される。よってネジ及び四角形部分の寸法は、枢動肩部の最小直径を画定する。枢動肩部に連結される段差部は、地板若しくは宝石若しくは同様の要素を支持する受けに対する香箱真又はコアの軸方向のクリアランスを制限する。
【０００９】
ドラムの軸方向のクリアランスを制限する段差部と結合した香箱真又はコア上でのドラムを枢動可能にガイドするための肩部には、段差部よりも大きな直径が必要である。材料の断面を最小とするために必要な立体的連鎖には相当な寸法が必要となり、これを低減するのは困難である。特に単にすべての寸法を低減すると、材料の断面が耐疲労性を保証するには不十分なものとなってしまい実用的ではない。
【００１０】
ＦＥＬＳＡ  ＳＡによる特許文献１は、二重香箱及び各ドラムのクリアランスを制限する様式を開示している。下側のドラムのクリアランスは、上部においては香箱真にねじ込まれたナットにより香箱真の肩部に向かって押圧されるスリーブのカラーによって制限され、下部においては平坦部を介して香箱真と一体として枢動するコアの基部によって制限される。香箱真の下側肩部の長さ及びドラムのパイプの長さは、これらのカラー及び基部表面に対するドラムのクリアランスを決定する。
【００１１】
ＫＩＥＮＺＬＥによる特許文献２は、香箱真に（枢動の方向に）着脱可能に設置されるコアを開示しており、コアは地板及び受けの両方に支持され、コアの２つの肩部はドラム及び蓋の移動を制限する。
【００１２】
ＷＵＴＨＲＩＣＨによる特許文献３は、ドラムを支持するための受け上のネジ山及びパイプを有するドラムを含む香箱を開示している。蓋は地板に配置される単純な金属プレートであり、香箱真又はドラムには連結されない。香箱真は２つの肩部を含み、一方はコア上に載置され、他方はドラムのパイプに当接してこれと協働する。
【００１３】
ＣＩＴＩＺＥＮによる特許文献４は、厚さを変えることができるゼンマイを開示しているが、ゼンマイの高さの特徴に関する教示はない。
【００１４】
ＡＵＧＥによる特許文献５は、互いに対して溶接された幅の異なるストリップを有するゼンマイを開示している。
【００１５】
これらの文献は全てゼンマイを駆動するフックを有する香箱真を開示しているが、ゼンマイを受承するための枢動香箱真を有する香箱真を開示しているものはない。これらの文献は、ゼンマイを配置できる香箱真又はコア上のいずれの凹部を具体的に記載していない。内側端部コイルにおいてゼンマイの厚さ等を改変することによって剛性が改変されるゼンマイを開示している特許文献もあるが、ゼンマイをセンタリングするためのゼンマイの幾何学的形状は考慮されていない。  
【先行技術文献】
【特許文献】
【００１６】
【特許文献１】スイス特許第３１９６３１号
【特許文献２】米国特許第１１１００６１号
【特許文献３】米国特許第３５６４８３９号
【特許文献４】イギリス特許第１１６２２９６号
【特許文献５】スイス特許第３４１７６４号
【発明の概要】
【発明が解決しようとする課題】
【００１７】
様々な構成部品の寸法決めに関するこれらの物理的制限のために、上述した従来の構成とは異なる香箱の構成を想定することが必要である。
【００１８】
本発明では、コア直径の減少を達成するための複数の解決法を考慮する。
【００１９】
実質的な制約は、必要に応じてゼンマイ又は香箱全体を交換するためにアセンブリを分解できることを保証することである。
【課題を解決するための手段】
【００２０】
本発明が提案する様々な手段を互いに組み合わせて、利用可能な空間、角穴車の位置、香箱を閉鎖するための（この機能は角穴車によっても実施できるが）蓋の存在又は不在に応じて最適な結果を得ることができる。
【００２１】
第１の解決法は、特にゼンマイを突起等の突出領域、フランジを追加する積層領域等に固定することによって、クリアランス調整機能をゼンマイに付与することにより、ゼンマイによるドラムと蓋との間のクリアランスを提供することからなる。これにより、ドラムを支持する肩部及び香箱真又はコア上の蓋が不要となる。
【００２２】
第２の解決法は、特に２つ又は３つである複数の部分からコアを形成することからなる。この解決法により、特にドラムの枢動直径よりも小さな直径のコアを形成することが可能となる。本発明によれば、コアはドラムの孔を通して挿入することが出来る。このように、香箱真又はコアを２つ以上の部分で形成することにより、ゼンマイの目玉部を引っ掛けるフックの機械加工が容易になる。
【００２３】
コアは、角穴車を駆動するための従来の四角形部分又はネジ山を含んでよい。或いは限定するものではないが、第２の変形例において、コアは地板及び受け内でコアをガイドするための１つ又は複数の直径調整用ワッシャ又はリングを含んでもよい。
【００２４】
別の解決法は、ワッシャをコアに打ち込んでドラム−蓋クリアランスを調整することからなる。このリングは、香箱への干渉が必要となった場合に受けのいずれの分解を防止するよう設置される。
【００２５】
更に別の解決法は、香箱真又コア上で起こる枢動ではなく、受けでのドラム及び／又は蓋の枢動を提供することからなる。有利には、ドラム及び蓋の両方は地板及び受けにおいて枢動する。
【００２６】
本発明によって提案される異なる変形例によって、機械加工、組み立て及び分解、並びに様々な構成部品間の軸方向のクリアランス及び受けに対するクリアランスの制御が容易となることが保証される。
【００２７】
特定のバージョンでは、本発明は、少なくとも１つのゼンマイを含み、このゼンマイは香箱ドラムと香箱のコアが備える受承表面との間に、その第１の端部が香箱ドラム上、第２の端部が受承表面上にあるように設置され、香箱のコアは上記ドラムと枢軸の周りで同軸である、時計の香箱アセンブリに関し、上記ゼンマイは、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０Ｇｐａのヤング率及び８０〜１００Ｇｐａの剪断弾性率を有する、多相のコバルト−ニッケル−クロムベースの合金製であり、９〜２１の幅厚比を有すること、並びに上記枢軸に対する鋼又はステンレス鋼製の上記コアの最大半径は上記ゼンマイの最大厚さの９倍未満であることを特徴とし、並びに上記香箱アセンブリは上記ゼンマイ又は上記ドラム上に、上記ドラムと上記ゼンマイとの間の長手方向のクリアランスを上記枢軸の方向に制限する手段を含むことを更に特徴とする。
【００２８】
本発明の特徴によると、上記ドラムと上記ゼンマイとの間の長手方向のクリアランスを制限する上記手段は、上記ゼンマイの縁部のうちの少なくとも一方にある少なくとも１つの突起、又は上記ドラムがその最大内径上に備える周縁凹部であって、上記ゼンマイを支持しかつ周縁において保持するための２つの傾斜した肩部の間に設けられる、周縁凹部のいずれかによって形成される。
【００２９】
本発明はまた、エネルギ貯蔵用のこのタイプの少なくとも１つの香箱アセンブリを含む時計ムーブメントにも関し、上記香箱アセンブリは、上記コアと一体として回転するよう設置される角穴車又は上記ドラムと一体として回転するよう設置されるドラム歯部のいずれかによって形成される１つの入力、及びこれら各場合のそれぞれに対して、上記ドラムと一体として回転するよう設置されるドラム歯部又は上記コアと一体として回転するよう設置される角穴車よって形成される１つの出力を有する。
【００３０】
本発明は、このタイプの少なくとも１つの時計ムーブメント及び／又はこのタイプの少なくとも１つのエネルギ貯蔵用香箱アセンブリを含む時計に関し、上記アセンブリは、上記コアと一体として回転するよう設置される角穴車又は上記ドラムと一体として回転するよう設置されるドラム歯部のいずれかによって形成される１つの入力、及びこれら各場合のそれぞれに対して、上記ドラムと一体として回転するよう設置されるドラム歯部又は上記コアと一体として回転するよう設置される角穴車によって形成される１つの出力を有する。
【００３１】
本発明の他の特徴及び利点は、添付の図面を参照して以下の詳細な説明を読むことにより、より明らかになるであろう。
【図面の簡単な説明】
【００３２】
【図１】図１は、時計の香箱の、枢軸を通る平面における概略断面図である。
【図１Ａ】図１Ａは、本発明による香箱の、枢軸を通る平面における概略断面図である。
【図１Ｂ】図１Ｂは、本発明による別の香箱の変形例の、枢軸を通る平面における概略断面図である。
【図２】図２は、本発明によるコアの変形例の概略斜視図である。
【図３】図３は、本発明によるコアの変形例の概略斜視図であり、コアはゼンマイを保持するための凹部を含む。
【図４】図４は、図２のコアの概略上面図である。
【図５Ａ】図５Ａは、摩擦によって設置されたゼンマイを有するコアの概略立面図であり、ゼンマイの端部は平坦な状態で示す。
【図５Ｂ】図５Ｂは、摩擦によって設置されたゼンマイを有するコアの概略断面図であり、ゼンマイの端部は平坦な状態で示す。
【図５Ｃ】図５Ｃは、摩擦によって設置されたゼンマイを有するコアの概略平面図であり、ゼンマイの端部は平坦な状態で示す。
【図６Ａ】図６Ａは、摩擦によって設置された別のタイプのゼンマイを有するコアの概略立面図であり、ゼンマイの端部は平坦な状態で示す。
【図６Ｂ】図６Ｂは、摩擦によって設置された別のタイプのゼンマイを有するコアの概略断面図であり、ゼンマイの端部は平坦な状態で示す。
【図６Ｃ】図６Ｃは、摩擦によって設置された別のタイプのゼンマイを有するコアの概略平面図であり、ゼンマイの端部は平坦な状態で示す。
【図７】図７は、本発明の香箱の、枢軸を通る平面における概略部分断面図であり、ここでコアはゼンマイの内側受承表面に関して特定の配置を有する。
【図８】図８は、本発明の香箱の右側部分の、枢軸を通る平面における概略部分断面図であり、ここでゼンマイは本発明による突起に嵌合される。
【図８Ａ】図８Ａは、ゼンマイの詳細の平面図である。
【図９】図９は、本発明のゼンマイの概略斜視図であり、ここでゼンマイは、局所的に幅が広くなった巻きである突出部分を有する。
【図１０】図１０は、ゼンマイの詳細を示す。
【図１１】図１１は、本発明のゼンマイの概略斜視図であり、ここでゼンマイは、フランジを追加された突出部分を有する。
【図１２】図１２は、ゼンマイの詳細を示す。
【図１３】図１３は、本発明の香箱の、枢軸を通る平面における概略部分断面図であり、ここで香箱の最大直径部分は、ゼンマイの外側受承表面に関して特定の配置を有する。
【図１４】図１４は、本発明による香箱アセンブリを含む時計ムーブメント並びにこのムーブメント及び本発明による香箱アセンブリを含む時計のブロック図である。
【図１５Ａ】図１５Ａは、本発明によるコアの変形例の斜視図であり、ここでコアは、ゼンマイを溶接できるよう配設される。
【図１５Ｂ】図１５Ｂは、本発明によるコアの別の変形例の斜視図であり、ここでコアはゼンマイを溶接できるよう配設される。
【図１５Ｃ】図１５Ｃは、本発明によるコアの別の変形例の斜視図であり、ここでコアはゼンマイを溶接できるよう配設される。
【図１６】図１６は、本発明による香箱アセンブリを含む時計ムーブメント並びにこのムーブメント及び本発明による香箱アセンブリを含む時計のブロック図である。
【発明を実施するための形態】
【００３３】
本発明は、時計学の分野に関し、より具体的にはムーブメント、時打ち動作又はその他の時計の機能に動力供給するためのエネルギ貯蔵香箱の分野に関する。
【００３４】
より具体的には、本発明は低減されたコア直径を有する機械式腕時計のための香箱に関する。
【００３５】
特定のバージョンでは、本発明は、少なくとも１つの香箱用ゼンマイ２を含む時計の香箱アセンブリ１に関する。このゼンマイ２は従来通り、香箱ドラム３と香箱のコア４が備える受承表面５との間に、その第１の端部２１が香箱ドラム３上、第２の端部２２が受承表面５上にあるように設置され、コア４はドラム３と軸線Ｄの周りで同軸である。
【００３６】
本発明によると、ゼンマイ２は、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０Ｇｐａのヤング率及び８０〜１００Ｇｐａの剪断弾性率を有する、多相のコバルト−ニッケル−クロムベースの合金製である。
【００３７】
このゼンマイ２は、３〜２３、より具体的には９〜２１の幅厚比を有する。
【００３８】
軸線Ｄに対する鋼又はステンレス鋼製のコア４の最大半径は、ゼンマイ２の最大厚さの９倍未満である。
【００３９】
香箱アセンブリ１は、ゼンマイ２又はドラム３上に、ドラム３とゼンマイ２との間の長手方向のクリアランスを軸線Ｄの方向に制限する手段６を含む。
【００４０】
特定の変形例では、図８、図８Ａに示すように、ゼンマイ２は有利には少なくとも１つの突出領域２３を含み、この突出領域２３は、ドラム３の内面３１及び／又はドラム３と共にゼンマイ２を格納するチャンバ３２の範囲を定める蓋７の内面７１と当接して協働するよう配設される。
【００４１】
図８Ａに示す第１の変形例では、この突出領域２３は、ゼンマイ２の縁部２７、２８のうちの少なくとも一方に少なくとも１つの突起２４を含む。この突出領域２３は、ドラム３の内側表面３１及び／又はドラム３と共にゼンマイ２を格納するチャンバ３２の範囲を定める蓋７の内側表面７１と当接して協働するよう、好ましくはこれら両方と当接して協働するよう配設される。
【００４２】
本発明の特定の特徴によると、ドラム３とゼンマイ２との間の長手方向のクリアランスを制限する手段６は、ゼンマイ２の縁部２７、２８のうちの少なくとも一方にある少なくとも１つの突起２４、又はドラム３がその最大内径上に備える周縁凹部３６であって、ゼンマイ２を周縁において保持及び支持するための２つの傾斜した肩部３３、３４の間に設けられる、周縁凹部３６のいずれかによって形成される。
【００４３】
図１Ａ、図１Ｂに示す好ましい実施形態によると、ゼンマイ２は、ドラム３及び蓋７によって範囲を定められる内部チャンバ３２に収容され、本発明による香箱アセンブリ１は、コア４以外の場所に位置する、蓋７とゼンマイ２との間の長手方向のクリアランスを枢軸Ｄの方向に制限する手段６を含む。
【００４４】
本発明の特定の特徴によると、このゼンマイ２の少なくとも１つの突起２４は、ドラム３の内面３１及び／又はドラム３と共にゼンマイ２を格納するチャンバ３２の範囲を定める蓋７の内面７１と当接して協働するよう配設される。
【００４５】
本発明の特定の特徴によると、図９又は図１０に見ることができる別の変形例では、この突出領域２３又は特にこの突起２４は、ゼンマイ２のコイルを超える高さの部分を少なくとも１つ含む。
【００４６】
図１１、図１２に見ることができる更に別の変形例では、この突出領域２３又は特にこの突起２４は、追加された少なくとも１つのフランジ２６を含み、このフランジ２６の高さはゼンマイ２のコイルの高さよりも局所的に高く、このフランジ２６は例えば溶接によってゼンマイ２に固定される。
【００４７】
図１３の特定の実施形態では、ドラム３はその最大内径上に、２つの上部カラー３７と下部カラー３８との間に設けられる周縁凹部３６を含み、上部カラー３７及び下部カラー３８の上縁部２７及び下縁部２８はそれぞれ、ゼンマイ２を周縁において保持及び支持するためにある角度αで傾斜した２つの肩部３３、２４を備える。このタイプの変形例では、ドラム３とゼンマイ２との間の長手方向のクリアランスを制限する手段６は、ドラム３がその最大内径上に備える周縁凹部３６によって形成され、この周縁凹部３６は、ゼンマイ２を周縁において保持及び支持するための２つの肩部３３、３４の間に設けられる。
【００４８】
図７の実施形態と図１３の実施形態は容易に組み合わせることができ、この組み合わせはゼンマイ２の良好な保持を保証する。ゼンマイ２が突出領域２３を有する好ましい場合では、領域２３の一方の側はドラム３及び／又は蓋７に対して固定され、これによりクリアランスの完璧な調整を保証する。
【００４９】
変形例では、周縁凹部３６は円筒形であり、ゼンマイ２と同一の高さを有し、このゼンマイ２は、平らでありかつ軸線Ｄに垂直な肩部３３、３４の間にセンタリングされる。
【００５０】
本発明の別の特定の特徴によると、周縁凹部３６の高さはゼンマイ２の高さよりも低く、ゼンマイ２は傾斜した肩部３３、３４の間で支持されるようセンタリングされ、肩部３３、３４は互いに対向する傾斜した面を含み、これによりゼンマイ２が備える縁部表面２７、２８のためのＶ字型の支持を画定する。
【００５１】
本発明の特定の特徴によると、ゼンマイ２は、軸線Ｄに対する回転の表面である受承表面５の周りで、フックを用いることなく弾性的に保持される。
【００５２】
図２、図３は、軸線Ｄに関する半径Ｒ０のケーシング内に含まれるコアを示す。受承表面５は、ゼンマイ２の目玉部を引っ掛けるためのフック４１を含み、凹部５２によりゼンマイ２を引っ掛けることができ、また、フック４１の機械加工が容易になる。肩部３３、３４は、香箱アセンブリ１を受承するムーブメントの地板又は受けに設置される宝石と協働するよう配設される。四角形部分４２は、角穴車１２との係合のために配設される。肩部４５、４５はそれぞれ、ドラム３の孔３５及び蓋の孔７５と協働する。
【００５３】
図３、図１５Ａ、図１５Ｂ、図１５Ｃに示す特定の実施形態では、受承表面５は、軸線Ｄに対する回転の表面である。好ましくは、図１５Ａ、図１５Ｂ、図１５Ｃに示すように、この受承表面５は、ポイント５３によって、又はポイント５３を通る好ましくは軸線Ｄに平行なセグメントに沿って、ゼンマイ２を溶接することにより、ゼンマイ２をコア４に固定するための接触表面である。
【００５４】
図１５Ａの場合では、ゼンマイ２は、小さな幅のコア４の円筒形部分にあるポイント５３において支持される。図１５Ｂの場合では、ゼンマイ２は、ドラム３を支持する肩部４５又は蓋７を支持する肩部４６のうちの一方に接する平坦部上のポイント５３において支持され、好ましくはここではドラム３の孔３５と協働するよう設計された肩部４５に接する平坦部上のポイント５３において支持される。図１５Ｃは、図１５Ａのものよりも幅の広いゼンマイ２の円筒形軸受け表面を示し、これはドラム３を支持する肩部４５又は蓋７を支持する肩部４６のうちの一方に局所的に統合され、好ましくはここではドラム３の孔３５と協働するよう設計された肩部４５に局所的に統合される。図１５Ｃの特定の変形例では、ゼンマイの受承表面５は、溶接ポイント５３又はポイント５３を通りかつ枢軸Ｄに平行な溶接セグメントから始まるらせん形部分を有し、これによりゼンマイ２は最初の巻きの後に、勾配が屈曲及び断絶することなく重なることができる。
【００５５】
図３に示す特定の実施形態では、回転の表面５は、カラー４７、４８が備える２つの肩部９１、９２の間に設けられる高さｈを有する凹部８によって形成される。これら肩部９１、９２は、枢軸Ｄに対するコア４の最大半径を画定する。好ましくは凹部８は円筒形であり、ゼンマイ２と同一の高さを有し、このゼンマイ２は、平らでありかつ枢軸Ｄに垂直な肩部９１、９２の間にセンタリングされる。  
【００５６】
有利には、凹部８はゼンマイ２の厚さの２倍に相当する深さＰを有する。
【００５７】
図７に示す別の変形例では、凹部８の高さｈはゼンマイ２の高さよりも低く、ゼンマイ２は上部カラー４７及び下部カラー４８の傾斜した肩部９１、９２の間で支持されるようセンタリングされる。これら肩部９１、９２は、互いに対向するある角度αで傾斜した面を含み、これによりゼンマイ２の縁部表面２７、２８のためのＶ字型の支持を画定する。
【００５８】
図１Ｂは一実施形態を示し、ここでドラム３はゼンマイ２に対向する肩部３Ａを有し、コア４が備える軸受け表面４Ｂ上に、軸受け表面３Ｂを介して支持される。また、蓋７はゼンマイ２に対向する肩部７Ａを有し、コア４が備える軸受け表面４Ｃ上に、軸受け表面７Ｂを介して支持され得る。
【００５９】
限定するものではないが、図５Ａ、図５Ｂ、図５Ｃ、図６Ａ、図６Ｂ、図６Ｃの変形例で特に示すように、香箱アセンブリ１は摩擦によってコア４に固定されるゼンマイ２を有し、ゼンマイ２の端部は好ましくは、ゼンマイ２が巻かれた場合に、ゼンマイ２の自由端部をアーチ状に維持するために考案された肩部を含む。
【００６０】
他の実施形態では、ゼンマイ２はコア４と共に、単一部品のゼンマイ−コアサブアセンブリ、溶接若しくはハンダ付けされたゼンマイ−コアサブアセンブリ又はこれらと同様のゼンマイ−コアサブアセンブリを形成する。この実施形態は、経済的で組み立てが極めて容易であるため、特に有利である。
【００６１】
本発明はまた、エネルギ貯蔵用のこのタイプの少なくとも１つの香箱アセンブリ１を含む時計ムーブメント１００にも関し、香箱アセンブリ１は、コア４と一体として回転するよう設置される角穴車１２又はドラム３と一体として回転するよう設置されるドラム歯部１３のいずれかによって形成される１つの入力、及びこれら各場合のそれぞれに対して、ドラム３と一体として回転するよう設置されるドラム歯部１３又はコア４と一体として回転するよう設置される角穴車１２よって形成される１つの出力を有する。
【００６２】
本発明は、このタイプの少なくとも１つの時計ムーブメント１００及び／又はこのタイプの少なくとも１つのエネルギ貯蔵用香箱アセンブリ１を含む時計１０００に関し、このアセンブリ１は、コア４と一体として回転するよう設置される角穴車１２又はドラム３と一体として回転するよう設置されるドラム歯部１３のいずれかによって形成される１つの入力、及びこれら各場合のそれぞれに対して、ドラム３と一体として回転するよう設置されるドラム歯部１３又はコア４と一体として回転するよう設置される角穴車１２によって形成される１つの出力を有する。
【図１】
0005702509.tif 000002
【図１Ａ】
0005702509.tif 000003
【図１Ｂ】
0005702509.tif 000004
【図２】
0005702509.tif 000005
【図３】
0005702509.tif 000006
【図４】
0005702509.tif 000007
【図５Ａ】
0005702509.tif 000008
【図５Ｂ】
0005702509.tif 000009
【図５Ｃ】
0005702509.tif 000010
【図６Ａ】
0005702509.tif 000011
【図６Ｂ】
0005702509.tif 000012
【図６Ｃ】
0005702509.tif 000013
【図７】
0005702509.tif 000014
【図８】
0005702509.tif 000015
【図８Ａ】
0005702509.tif 000016
【図９】
0005702509.tif 000017
【図１０】
0005702509.tif 000018
【図１１】
0005702509.tif 000019
【図１２】
0005702509.tif 000020
【図１３】
0005702509.tif 000021
【図１４】
0005702509.tif 000022
【図１５ａ】
0005702509.tif 000023
【図１５ｂ】
0005702509.tif 000024
【図１５ｃ】
0005702509.tif 000025
【図１６】
0005702509.tif 000026